(57)【要約】【課題】地面に立設された柱状部材の地際部分が草刈機などによって誤破損されないようにした柱状部材の破損防止具を提供する。【解決手段】本発明に係る柱状部材の破損防止具は、地面に立設する柱状部材の少なくとも地際部分を覆う保護部と、該保護部に連設され、地中に埋められることで土圧を受ける受圧面を有する埋設部と、前記保護部に沿った前記柱状部材を保持する保持手段とを備えている。【選択図】図１
2016151168.tif 000002
【特許請求の範囲】
【請求項１】
地面に立設する柱状部材の少なくとも地際部分を覆う保護部と、
該保護部に連設され、地中に埋められることで土圧を受ける受圧面を有する埋設部と、
前記保護部に沿った前記柱状部材を保持する保持手段とを備えている、
柱状部材の破損防止具。
【請求項２】
前記埋設部の下端に連結された平板状の根かせを備え、
前記受圧面は、前記根かせの上向き面によって構成されている、
請求項１に記載の柱状部材の破損防止具。
【請求項３】
前記平板状の根かせは、下向きに尖った尖端形状とされる、
請求項２に記載の柱状部材の破損防止具。
【請求項４】
２つの帯板片の各一方の側縁が結合された柱状の本体であって、断面形状Ｌ字状の本体を備え、
該本体の一端側が前記保護部、他端側が前記埋設部とされている、
請求項１から３のいずれか１項に記載の柱状部材の破損防止具。
【請求項５】
前記保護部及び前記埋設部の少なくともいずれか一方は、開口部を有する、
請求項４に記載の柱状部材の破損防止具。
【請求項６】
前記保持手段は、前記保護部から前記柱状部材を貫通した挿通部材によって構成されている、
請求項５に記載の柱状部材の破損防止具。
【発明の詳細な説明】
【技術分野】
【０００１】
本発明は、地面に立設する柱状部材の少なくとも地際部分を保護するための破損防止具に関する。
【背景技術】
【０００２】
柱状部材の一例として、図４に示す巡視路案内杭のような標識１００がある。例えば、標識１００は、断面形状Ｌ字状の柱状に形成されている。この標識１００の下端は、尖端形状とされている。上記標識１００は、設置場所において、下端側が埋められることで、上側が地面上に突出するように立設される（例えば、特許文献１参照）。
【０００３】
このような標識１００は、経年劣化の防止、山間地での運搬性、コストの低減などの観点から、一般的に樹脂製とされている。樹脂製の標識１００にあっては、草刈機の刃などが誤って当たることで、破損してしまう。
【先行技術文献】
【特許文献】
【０００４】
【特許文献１】特開２００７−６３７８１号公報
【発明の概要】
【発明が解決しようとする課題】
【０００５】
そこで、本発明は、地面に立設された柱状部材の地際部分が草刈機などによって誤破損されないようにした柱状部材の破損防止具を提供する。
【課題を解決するための手段】
【０００６】
本発明に係る柱状部材の破損防止具は、地面に立設する柱状部材の少なくとも地際部分を覆う保護部と、該保護部に連設され、地中に埋められることで土圧を受ける受圧面を有する埋設部と、前記保護部に沿った前記柱状部材を保持する保持手段とを備えている。
【０００７】
この柱状部材の破損防止具によれば、柱状部材が少なくとも保護部に沿うようにして立設される。この保護部に沿った柱状部材は、保持手段によって破損防止具から外れないように保持される。そして、保護部が柱状部材の少なくとも地際部分を覆うことにより、草刈機などが保護部に当たっても、柱状部材の地際部分を折損させたり、分断させたりすることがなく、したがって、柱状部材を傾斜ないし倒壊させないようにすることができる。そして、埋設部が地中に埋められ、受圧面が土圧を受けることで、この破損防止具は、倒れにくいように設置される。
【０００８】
本発明に係る柱状部材の破損防止具の一態様として、前記埋設部の下端に連結された平板状の根かせを備え、前記受圧面は、前記根かせの上向き面によって構成されていてもよい。受圧面が埋設部の下端に連結された平板状の根かせによって構成されることにより、受圧面が土の加重を受ける。
【０００９】
この場合、前記平板状の根かせは、下向きに尖った尖端形状とされることが好ましい。このようにすれば、埋設部に下向きの尖端が形成されるため、地中に打ち込みやすくなる。
【００１０】
本発明に係る柱状部材の破損防止具の他態様として、２つの帯板片の各一方の側縁が結合された柱状の本体であって、断面形状Ｌ字状の本体を備え、該本体の一端側が前記保護部、他端側が前記埋設部とされてもよい。この断面形状Ｌ字状の本体によって構成された保護部及び埋設部は、断面形状Ｌ字状の柱状部材が沿うようにすることができる。
【００１１】
この場合、前記保護部及び前記埋設部の少なくともいずれか一方は、開口部を有する構成としてもよい。保護部及び埋設部が開口部を有することにより、この柱状部材の破損防止具は、軽量化される。
【００１２】
また、前記保護部が前記開口部を有する場合、前記保持手段は、前記保護部から前記柱状部材を貫通した挿通部材によって構成されていてもよい。挿通部材を外すことで、柱状部材を容易に交換することができる。
【発明の効果】
【００１３】
本発明は、地面に立設された柱状部材の地際部分が草刈機などによって誤破損されないようにした柱状部材の破損防止具を提供することができる。
【図面の簡単な説明】
【００１４】
【図１】図１は、本発明の一実施形態に係る柱状部材の破損防止具及び柱状部材を示す概略斜視図である。
【図２】図２は、同実施形態に係る柱状部材の破損防止具によって柱状部材を支持している状態を示し、（ａ）は柱状部材の下端部が地中に埋め込まれている状態の正面図、（ｂ）は柱状部材の下端部が地際にある状態の正面図である。
【図３】図３（ａ）（ｂ）は、柱状部材が柱状部材の破損防止具から抜けないようにする状態を示す斜視図である。
【図４】図４は、柱状部材の一例である標識を示す概略斜視図である。
【発明を実施するための形態】
【００１５】
以下、本発明の一実施形態に係る柱状部材の破損防止具について図１ないし図３を参照して説明する。
【００１６】
本実施形態に係る柱状部材の破損防止具は、図４に示す標識１００のような柱状部材１００を支持する。すなわち、この柱状部材１００は、断面形状Ｌ字状の柱状に形成され、山折れ側が突出側１００ａとなる。また、柱状部材１００の下端は、尖端形状とされている。
【００１７】
そして、本実施形態に係る柱状部材の破損防止具は、施工が容易な地面に立設する柱状部材１００の少なくとも地際部分を覆う保護部１１と、この保護部１１に連設され、地中に埋められることで土圧を受ける受圧面１３を有する埋設部１２と、保護部１１に沿った柱状部材１００を保持する保持手段２０とを備えている。なお、この柱状部材の破損防止具は、剛性を有するとともに、腐食しにくいステンレス鋼などで成形される。
【００１８】
保護部１１と埋設部１２は、柱状の本体１０によって連設されている。本体１０は、２つの帯板片１０ａ，１０ａの一方の側縁同士を結合することで、断面形状Ｌ字状に形成されている。そして、帯板片１０ａ，１０ａの他方の各側縁に沿って長尺な爪部１４が設けられている。この爪部１４と帯板片１０ａ，１０ａとの間に溝状部１５が形成され、この溝状部１５に柱状部材１００の各側縁が嵌め入れられる。
【００１９】
そして、保護部１１と埋設部１２は、軽量化を図るため、開口部１１ａ，１２ａを有している。本体１０が枠状部材１０ｂによって形成されることで、枠状部材１０ｂ内に開口部１１ａ，１２ａが設けられる。
【００２０】
そして、受圧面１３は、埋設部１２の下端に斜め向きに連結された平板状の根かせ１３ａの上向き面によって構成される。埋設部１２の断面がＬ字形状とされることで、根かせ１３ａは、下向きに尖った三角形のような尖端形状となる。
【００２１】
本実施形態の柱状部材の破損防止具は、以上のように構成される。次に、使用方法について説明する。
【００２２】
保護部１１と埋設部１２とに開口部１１ａ，１２ａが形成され、柱状部材の破損防止具が軽量化されていることから、柱状部材１００を設置する現場まで持参する作業の負担が軽減される。
【００２３】
そして、現場において、柱状部材の破損防止具の根かせ１３ａの尖端側が下向きとされ、埋設部１２が地中に打ち込まれる。根かせ１３ａは、尖端形状とされているため、突き刺さるようにして地中に打ち込まれる。そして、柱状部材の破損防止具は、埋設部１２が地中に埋められ、保護部１１のみが地面から突出する状態とされる。
【００２４】
この状態において、受圧面１３上に土が被さり、受圧面１３上が土圧を受けることで、柱状部材の破損防止具が自立する。また、爪部１４によって形成された溝状部１５内には、爪部１４が溝状部１５を覆っている状態であることから、土が入り込まない。
【００２５】
そして、柱状部材１００の下端側の外側面が本体１０の内側に沿う状態となる。すなわち、柱状部材１００の突出側１００ａが本体１０の各帯板片１０ａ，１０ａの内側結合部にあてがわれ、柱状部材１００の各側縁が溝状部１５内に嵌め込まれる。この柱状部材１００は、外側が本体１０の内側面に重なるが、内側が露出したままとなる。
【００２６】
そして、図２（ａ）に示すように、柱状部材１００の下端縁が受圧面１３まで到達した状態において、柱状部材１００の上側部が保護部１１よりも上方に出た状態となる。また、埋設部１２では、開口部１２ａによって露出している柱状部材１００が土と接し、土圧を受ける。
【００２７】
そして、保護部１１では、柱状部材１００が柱状部材の破損防止具から抜けないようにするための保持手段２０が備えられる。この保持手段２０は、図３（ａ）に示すような鋼線やピンのような挿通部材によって構成される。
【００２８】
したがって、柱状部材１００には、挿通部材である保持手段２０を通すための孔部が形成される。そして、この挿通部材である保持手段２０が孔部に挿通され、保護部１１の枠状部材１１ｂを巻くようにして取り付けられる。
【００２９】
あるいは、保持手段２０は、図３（ｂ）に示すように、柱状部材１００に設けた突部によって構成してもよい。この突部の保持手段２０は、保護部１１の上側の枠状部材１１ｂに係止する。
【００３０】
そして、柱状部材の破損防止具に沿って立設された柱状部材１００の突出側１００ａは、地際付近が保護部１１によって保護される。したがって、草刈機の刃が保護部１１に当たったとしても、柱状部材１００に当たりにくくなっている。すなわち、柱状部材１００の内側面が露出していたとしても、内側面が草刈機の刃で損傷しにくくなっている。したがって、柱状部材１００の地際部分は、保護部１１に保護されることによって、折損したり、分断したりすることがない。このため、柱状部材は、草刈機の刃によって傾斜ないし倒壊することがない。
【００３１】
保護部１１よりも上側の柱状部材１００に草刈機の刃が当たり、柱状部材１００が破損したときは、柱状部材１００を交換する。すなわち、破損して地中に埋まっている下側の柱状部材１００が引き抜かれる。柱状部材１００が引き抜かれても、柱状部材の破損防止具の受圧面１３及び埋設部１２が地中に埋まり、保護部１１が地面から突出しているため、新たな柱状部材１００は、元の位置に立設することができる。したがって、新たな柱状部材１００は、誤って別の所有者の土地に設置されることがない。
【００３２】
また、柱状部材１００が上側と下側とに分断した場合の応急処置として、地中に埋まっている下側の柱状部材１００を引き抜いた後、分断した上側の柱状部材１００の下部を埋設部１２に沿うように、あるいは、保護部１１だけに沿うようにして、立設しておいてもよい。
【００３３】
以上のように、本実施形態に係る柱状部材の破損防止具によれば、地面に立設された柱状部材の地際部分が草刈機などによって誤破損されるのを抑制できる。
【００３４】
なお、本発明は、上記実施形態に限定されるものでなく、本発明の要旨を逸脱しない範囲で適宜変更を加え得ることは勿論である。
【００３５】
上記実施形態において、例えば、埋設部１２は、開口部１２ａを設けることなく、板状とすることで、爪部１４によって形成される溝状部１５に、土がさらに入りにくいようにしてもよい。また、軽量でありながら、剛性のある材質によって柱状部材の破損防止具を成形する場合は、埋設部１２だけでなく、保護部１１も開口部１１ａを設けることなく板状としてもよい。
【００３６】
また、上記実施形態において、受圧面１３は、埋設部１２の下端から上方に突出するだけでなく、埋設部１２の下端の外面からも外向きに突出してもよい。
【００３７】
さらに、上記実施形態において、受圧面１３は、埋設部１２の下端でなく、埋設部１２の中間部の外面から外向きに又は内面から内向きに突出するように設けてもよい。
【００３８】
さらに、上記実施形態において、柱状部材１００の断面形状がＬ字状でなく、平板状である場合は、柱状部材の破損防止具は、１枚の帯板片によって保護部１１と埋設部１２を平坦状に成形する。また、柱状部材１００が円筒状又は円柱状の場合は、保護部１１及び埋設部１２は、円筒状に成形する。
【００３９】
さらに、上記実施形態において、柱状部材１００は、その下端部を尖端形状とすることなく平坦状とし、あるいは、尖端形状であっても、図２（ｂ）に示すように、下端縁を地面に当てるようにして、柱状部材１００を自立させてもよい。また、この柱状部材の破損防止具が保護する柱状部材は、巡視路案内杭以外の支柱などであってもよい。
【符号の説明】
【００４０】
１０…本体、１０ａ…帯板片、１０ｂ…枠状部材、１１…保護部、１１ａ…開口部、１１ｂ…枠状部材、１２…埋設部、１２ａ…開口部、１３…受圧面、１４…爪部、１５…溝状部、２０…保持手段、１００…標識、１００…柱状部材、１００ａ…突出側
【図１】
2016151168.tif 000003
【図２】
2016151168.tif 000004
【図３】
2016151168.tif 000005
【図４】
2016151168.tif 000006